(57)【要約】【課題】コンテンツプレーヤで再生するコンテンツを選択する際、ユーザのその日の気分や予定等に応じてコンテンツの選択を行うことができるようにする。【解決手段】コーディネータ１４０は、ユーザが身に付けているアイテムに付加された情報記憶媒体から当該アイテム情報をＲＦＩＤリーダ１３０により検出し、コンテンツサーバ１５０に対して、アイテム情報に基づきコンテンツを指定し、当該コンテンツをコンテンツプレーヤ１６０へ提供することを要求する。コンテンツサーバ１５０は、指定されたコンテンツをコンテンツプレーヤ１６０に提供する。要素（１３０〜１６０）は別々の装置であってもよいし、任意の組み合わせで個別に一体化してもよい。【選択図】図１
2008217301.tif 000002
【特許請求の範囲】
【請求項１】
コンテンツプレーヤで再生すべきコンテンツの選択を支援するコンテンツ選択支援システムであって、
コンテンツプレーヤのユーザが身に付けているアイテムに付加された情報記憶媒体から当該アイテム情報を検出するアイテム情報検出手段と、
複数のコンテンツを蓄積し、選択されたコンテンツをコンテンツプレーヤに提供するコンテンツサーバと、
前記コンテンツサーバに対して、前記検出されたアイテム情報に基づきコンテンツを指定し、当該コンテンツを当該プレーヤへ提供することを要求するコンテンツ提供要求手段とを備え、
前記コンテンツサーバは前記コンテンツ指定手段により指定されたコンテンツを前記コンテンツプレーヤに提供する
ことを特徴とするコンテンツ選択支援システム。
【請求項２】
ユーザが身に付けているアイテムに付加された情報記憶媒体から当該アイテム情報を検出するアイテム情報検出手段と、
複数のコンテンツを蓄積したコンテンツサーバに対して、前記検出されたアイテム情報に基づきコンテンツを指定し、当該コンテンツを当該プレーヤへ提供することを要求するコンテンツ提供要求手段と
を備えたことを特徴とするコンテンツ選択装置。
【請求項３】
複数のコンテンツを蓄積し、選択されたコンテンツをコンテンツプレーヤに提供するコンテンツサーバと、
コンテンツプレーヤのユーザが身に付けているアイテムに付加された情報記憶媒体から検出されたアイテム情報に基づき、前記コンテンツサーバに対して、コンテンツを指定し、当該コンテンツを当該プレーヤへ提供することを要求するコンテンツ提供要求手段とを備え、
前記コンテンツサーバは前記コンテンツ指定手段により指定されたコンテンツを前記コンテンツプレーヤに提供する
ことを特徴とするコンテンツ提供装置。
【請求項４】
ユーザが身に付けているアイテムに付加された情報記憶媒体から検出されたアイテム情報に基づき、複数のコンテンツを蓄積したコンテンツサーバに対して、コンテンツを指定し、当該コンテンツを当該プレーヤへ提供することを要求するコンテンツ提供要求手段と、
前記指定されたコンテンツをコンテンツサーバから受信し、再生するコンテンツプレーヤと
を備えたことを特徴とするコンテンツ再生装置。
【請求項５】
ユーザが身に付けているアイテムに付加された情報記憶媒体から当該アイテム情報を検出するアイテム情報検出手段と、
複数のコンテンツを蓄積したコンテンツサーバに対して、前記検出さ/*れたアイテム情報に基づきコンテンツを指定し、当該コンテンツを当該プレーヤへ提供することを要求するコンテンツ提供要求手段と、
前記指定されたコンテンツをコンテンツサーバから受信し、再生するコンテンツプレーヤと
を備えたことを特徴とするコンテンツ再生装置。
【請求項６】
ユーザが身に付けているアイテムに付加された情報記憶媒体から検出されたアイテム情報に基づき、複数のコンテンツを蓄積したコンテンツサーバに対して、コンテンツを指定し、当該コンテンツを当該プレーヤへ提供することを要求するコンテンツ提供要求手段と、
前記指定されたコンテンツをコンテンツサーバから受信し、再生するコンテンツプレーヤと
を備えたことを特徴とするコンテンツ再生装置。
【発明の詳細な説明】
【技術分野】
【０００１】
本発明は、コンテンツ再生装置で再生すべきコンテンツの選択を支援するコンテンツ選択支援システムおよびこれに関連した装置に関する。
【背景技術】
【０００２】
近年、携帯電話端末などの携帯装置に、音楽、静止画、動画等のコンテンツを再生するプレーヤ機能が搭載されたものが出現している。
【０００３】
特許文献１には、ユーザがコンテンツ配信サービスにアクセスする時点のユーザの状況、具体的にはコンテンツの視聴履歴に基づいて、個人の嗜好情報に応じた最適なコンテンツを推薦する方法および装置が開示されている。
【０００４】
また、個々の商品に対して、無線通信により情報を読み出すことができるＲＦＩＤタグなどの記憶媒体を付加し、商品管理に利用することが検討されている。
【特許文献１】特開２００５−１６５４５４号
【発明の開示】
【発明が解決しようとする課題】
【０００５】
上記特許文献１に記載の従来技術では、過去の視聴履歴に基づいて得られた定常的なユーザの嗜好に基づいてコンテンツが選択されるため、コンテンツの選択結果にユーザのその日の気分や予定を反映させることは困難であった。
【０００６】
本発明はこのような背景においてなされたものであり、コンテンツプレーヤで再生するコンテンツを選択する際、ユーザのその日の気分や予定等に応じてコンテンツの選択を行うことができるようにすることを企図する。
【課題を解決するための手段】
【０００７】
本発明によるコンテンツ選択支援システムは、コンテンツプレーヤで再生すべきコンテンツの選択を支援するコンテンツ選択支援システムであって、コンテンツプレーヤのユーザが身に付けているアイテムに付加された情報記憶媒体から当該アイテム情報を検出するアイテム情報検出手段と、複数のコンテンツを蓄積し、選択されたコンテンツをコンテンツプレーヤに提供するコンテンツサーバと、前記コンテンツサーバに対して、前記検出されたアイテム情報に基づきコンテンツを指定し、当該コンテンツを当該プレーヤへ提供することを要求するコンテンツ提供要求手段とを備え、前記コンテンツサーバは前記コンテンツ指定手段により指定されたコンテンツを前記コンテンツプレーヤに提供することを特徴とする。
【０００８】
コンテンツ提供要求手段によるコンテンツサーバに対するコンテンツの指定は、個々のコンテンツの指定であってもよいし、コンテンツのジャンル等の指定であってもよい。
【０００９】
また、コンテンツ提供要求手段はアイテム情報に対応するコンテンツリストをコンテンツサーバから受領し、コンテンツリストの中からコンテンツを選択するようにしてもよい。
【００１０】
本発明者は、ユーザのその日の気分や予定等は、ユーザがどのようなアイテム（服飾品）を身に付けるかによって判断できることに想到し、服飾品の情報をアイテム情報として検出して、このアイテム情報に基づいてコンテンツの選択を行うこととした。
【００１１】
本発明は、また、上記コンテンツ選択支援システムの構成要素の異なる組み合わせに対応する装置としての、コンテンツ選択装置、コンテンツ提供装置およびコンテンツ再生装置としても把握することができる。
【発明の効果】
【００１２】
本発明によれば、ユーザが身に付けたアイテムから検出されたアイテム情報に基づいて、そのアイテム情報に応じたコンテンツ群が自動的に抽出されるので、ユーザはコンテンツの選択に頭を悩ましたりすることなく、ユーザのその日の気分や予定等に合ったコンテンツを選択することができる。
【発明を実施するための最良の形態】
【００１３】
以下、本発明の好適な実施の形態について図面を参照しながら詳細に説明する。
【００１４】
図１に、本実施の形態におけるコンテンツ選択支援システムの概略構成を示す。コンテンツ選択支援システムは、ＲＦＩＤタグ１２５ａ，１２５ｂ（総称して１２５という）と、ＲＦＩＤリーダ１３０と、コーディネータ１４０と、コンテンツサーバ１５０と、コンテンツプレーヤ１６０とにより構成される。
【００１５】
ＲＦＩＤタグ１２５は、本発明において「アイテム」と呼ぶ衣類や装飾品などの個々の服飾品１２０（商品）に付加されている。ＲＦＩＤタグ１２５は、商品情報を記憶した「記憶媒体」であり、外部から接近したＲＦＩＤリーダ１３０により、非接触により商品情報を読み出すための無線通信機能を備えたＩＣチップを内蔵している。
【００１６】
ＩＦＩＤリーダ１３０は、本発明における「商品情報検出手段」を構成し、近接したＲＦＩＤタグ１２５からその記憶データを読み出すことができる。このシステムでは商品情報（アイテム情報）を読み出す（１）。読み出された商品情報はコーディネータ１４０に提供される（２）。
【００１７】
コーディネータ１４０は、本発明の「コンテンツ提供要求手段」を構成し、ＲＦＩＤタグ１２５から受け取った商品情報に基づいて、商品情報に対応するカテゴリ情報を生成し（３）、コンテンツサーバ１５０に提供して（４）、該当するコンテンツのリストを受信し（５）、所望のコンテンツをコンテンツプレーヤ１６０へ送信することを要求する（６）。なお、受信したリストは表示部に表示してユーザの確認または選択に応じて、コンテンツの送信要求を行う例を示したが、ステップ（５）（６）を削除して、ステップ（４）のカテゴリ情報の提供が該当コンテンツの送信要求を兼ねるようにしてもよい。
【００１８】
コンテンツサーバ１５０は、複数のコンテンツを蓄積し、外部からの要求に応じてコンテンツリストを提供したり、コンテンツを指定先のコンテンツプレーヤへ送信したりする機能を有する。この例では、コンテンツサーバ１５０は、コーディネータ１４０から指定されたコンテンツをコンテンツプレーヤ１６０へ送信する（７）。
【００１９】
コンテンツプレーヤ１６０は、本発明における「コンテンツ再生装置」を構成し、コンテンツサーバ１５０から受信したコンテンツを再生する機能を有する。図では、携帯電話端末を一例として示している。
【００２０】
なお、本実施の形態では「コンテンツ」として音楽データ（音楽ファイル）を例として説明するが、音楽データ以外に、静止画データ、動画データ等であってもよい。
【００２１】
図１に示したＲＦＩＤタグ１２５以外のシステムの各要素（１３０〜１６０）はすべて独立していてもよいが、これらの要素のいずれかの組が一つの装置に内蔵される形態であってもよい。図２に、異なる要素の組を内蔵（すなわち一体化）した装置を含む異なるシステム構成例を示す。
【００２２】
図２（ａ）は、すべての要素（１３０〜１６０）が一つのコンテンツ再生装置２１０内に内蔵された形態を示している。このようなコンテンツ再生装置２１０としては例えば携帯電話端末等の携帯端末が考えられる。
【００２３】
図２（ｂ）は、ＲＦＩＤリーダ１３０とコーディネータ１４０とが一つのコンテンツ選択装置２２０に内蔵される形態を示している。
【００２４】
図２（ｃ）は、コーディネータ１４０とコンテンツサーバ１５０とが一つのコンテンツ提供装置２３０に内蔵される形態を示している。
【００２５】
図２（ｄ）は、コーディネータ１４０とコンテンツサーバ１５０とコンテンツプレーヤ１６０が一つのコンテンツ再生装置２４０に内蔵される形態を示している。
【００２６】
図２（ｅ）は、ＲＦＩＤリーダ１３０とコーディネータ１４０とコンテンツプレーヤ１６０とが一つのコンテンツ再生装置２５０に内蔵される形態を示している。
【００２７】
図２（ｆ）は、コーディネータ１４０とコンテンツプレーヤ１６０とが一つのコンテンツ再生装置２６０に内蔵される形態を示している。
【００２８】
これらの異なる形態のシステムにおいて、各要素の間はコネクタ直結、ケーブル接続、無線インタフェースによる接続、ＬＡＮのようなネットワーク接続のいずれであってもよい。また、可能な組み合わせであれば、これら以外の形態であってもよい。
【００２９】
図３は、図２（ａ）の装置２１０に対応する携帯端末１０のハードウェア構成例を示している。この携帯端末１０は上述した少なくともコンテンツプレーヤ１６０の機能を備えている。
【００３０】
制御部１００は、ＣＰＵからなり、記憶部１０５に記憶されているＯＳや各種プログラムに基づき、制御ライン１０６を介して、当該端末の様々な制御、本実施の形態にかかる各種処理を行う。
【００３１】
通信アンテナ１０１は、通話やパケット通信のための信号電波の送受信を行う。通信部１０２は、送受信信号の周波数変換、変調と復調等を行う。
【００３２】
音声処理部１１２は、通信部１０２から通話音声の受信データが供給されたときには、当該通話音声の受信データを復号化し、その復号化後の通話音声データをデータライン１０７を介してスピーカ１１０へ送る。
【００３３】
スピーカ１１０は、携帯電話端末に設けられている受話用のイヤレシーバやリンガ（着信音）、音楽再生、アラーム音出力用のスピーカであり、ディジタル／アナログ変換器と増幅器を含み、通話音声やリンガ音、再生音楽のデータを、ディジタル／アナログ変換および増幅した後、出力する。これにより、通話音声やリンガ音、再生音楽が得られることになる。
【００３４】
マイクロホン１１１は、送話用のマイクロホンであり、アナログ／ディジタル変換器と増幅器を含む。このマイクロホン１１１を介して入力された通話音声信号は、増幅器により所定のレベルに増幅された後、アナログ／ディジタル変換器によりディジタル音声データに変換され、データライン１０７を介して音声処理部１１２へ送られて符号化された後、データライン１０７を介して通信部１０２へ送られて変調、周波数変換等の各種処理を受け、通信アンテナ１０１から送信される。
【００３５】
表示部１０３は、ＬＣＤ等からなるディスプレイとこれを駆動するためのディスプレイ駆動回路とからなる。ディスプレイ駆動回路は、画像処理部１１３から供給された画像信号に基づいて、ディスプレイを駆動する。これにより、ディスプレイには、画像や文字等が表示される。
【００３６】
画像処理部１１３は、表示部１０３に表示される画像の処理を行う。また、画像処理部１１３は、制御部１００による制御の下で記憶部１０５から読み出された圧縮符号化されている画像データや、インターネット等を介して取得した画像データ等を伸張復号化等し、その伸張復号後の画像データをデータライン１０７を介して表示部１０３へ送って表示させる処理を行う。
【００３７】
操作部１０４は、本実施の形態の携帯電話端末の筐体上に設けられているキーボード等の操作デバイスと、この操作デバイスの操作に応じた操作信号を発生する操作信号発生器とからなる。
【００３８】
記憶部１０５は、ＲＯＭ（Read Only Memory）とＲＡＭ（Random Access Memory）を含む。ＲＯＭは、ＯＳ（Operating System）、制御部１００が各部を制御するための制御プログラムコード、および各種のデータ等を記憶している。このＲＯＭは、フラッシュメモリ或いはＥＥＰＲＯＭ（Electrically Erasable Programmable Read-Only Memory）のような書き換え可能な不揮発性のメモリを含み、任意のデータを保存することができる。ＲＡＭは、制御部１００が各種のデータ処理を行う際の作業領域や一時データ記憶領域として、随時データを格納する。
【００３９】
プレーヤ部１１４は、コンテンツプレーヤ１６０を構成する部位であり、特定のフォーマットの楽曲データの再生を行う部位であり、再生された音楽データをスピーカ１１０へ送出する。
【００４０】
近距離通信制御部１１６は、上記ＲＦＩＤリーダ１３０に相当し、接近したＲＦＩＤタグ１２５からタグ情報を読み出す機能を有する。
【００４１】
その他、図３には図示を省略しているが、本実施の形態の端末は、一般的な携帯電話端末が備えている各構成要素についても備えている。
【００４２】
図４に、ＲＦＩＤタグ１２５に記憶される商品のタグ情報のフォーマットの一例を示す。この例では、タグ情報は、アイテムを一意に識別するための識別情報としての「アイテムＩＤ」、アイテムの種類や名称を示す「アイテム名」、製造者の名称である「メーカ名」、当該アイテムの雰囲気（フォーマル、カジュアル等の別）を示す「カテゴリ」、色を表す「カラー」、「明るさ」、「素材」等を含んでいる。本実施の形態では、これらの情報のうち、少なくともカテゴリを利用する。タグ情報内に「カテゴリ」が含まれない場合には、アイテムＩＤ、アイテム名等、別の情報を用いてもよい。また、図４に示した情報は、ＲＦＩＤタグ１２５に記録される情報の一例であり、本発明はこれらに限るものではない。
【００４３】
図５は、アイテムから検出されたタグ情報をコンテンツ属性に対応づけるデータテーブルの構成例を示している。図５（ａ）はタグ情報から得られたカテゴリをコンテンツ属性に予め対応づけたデータテーブル５００の一例を示している。この例では、フォーマル度を示すカテゴリ（高、中、低）をコンテンツのジャンル（Classic、Jazz、Pops）に対応づけている。フォーマル度の段階数は３段階としたが、２段階または４段階以上であってもよい。図５（ｂ）は、タグ情報内の「カテゴリ」と「明るさ」に対してコンテンツ属性を予め対応づけたデータテーブル５１０の一例を示している。
【００４４】
データテーブル５００，５１０は、予め用意された固定的なものであってもよいが、ユーザが作成したり、変更（カスタマイズ）したりできるようにしてもよい。これにより個々のユーザが自身に合ったコンテンツの自動選択が行える。
【００４５】
なお、ユーザが複数の検出対象アイテムを同時に身に付けている場合、ＲＦＩＤリーダ１３０により複数の商品のタグ情報が検出される。このような場合、コーディネータ１４０は、図６に示すように、複数のタグ情報を集計して単一のカテゴリを求める。この集計の仕方の一例としては、カテゴリを高＝１００、中＝５０、低＝０のようなカテゴリ値に数値化し、複数のアイテムのカテゴリ値の平均値を求めて、所定の閾値判定を行うことにより単一のカテゴリを求めることができる。閾値判定としては、例えば３段階の場合、カテゴリ値が２５未満であれば「低」、２５以上７５未満であれば「中」、７５以上であれば「高」、等である。「明るさ」についても同様である。但し、ここに示したタグ情報の集計の仕方は一例であり、本発明はこれに限定されるものではない。
【００４６】
図７は、コンテンツサーバ１５０が取り扱う、楽曲データのコンテンツデータベース（ＤＢ）７００の構成例を示している。このコンテンツデータベース７００は、個々のコンテンツの識別情報であるコンテンツＩＤに対して、タイトル、アーティスト、コンテンツ属性等を定めている。コンテンツ属性としては、音楽ジャンル、明るさ、テンポを挙げているが、これらに限るものではない。各コンテンツの実体データは、図示しないが、所定の記憶領域に格納されている。
【００４７】
図８は、図１のシステムにおける各部の間の動作を表したシーケンス図である。
【００４８】
コンテンツプレーヤ１６０のユーザは、このシステムを利用する際、ＲＦＩＤリーダ１３０を動作させて、ユーザが身に付けているアイテムに関する情報（タグ情報）を検出する（Ｓ１１）。ＲＦＩＤリーダ１３０は、検出したタグ情報をコーディネータ１４０へ送る（Ｓ１２）。
【００４９】
コーディネータ１４０は、受け取ったタグ情報群に基づいて、上述したようなタグ情報の集計を行い、目的のカテゴリを求める（Ｓ１３）。コーディネータ１４０は、この目的のカテゴリをコンテンツサーバ１５０に送り、これに対応するコンテンツリストの返送を要求する（Ｓ１４）。コンテンツリストは、この例では楽曲のタイトルやアーティストなどのコンテンツを特定できる一覧情報のようなリストである。
【００５０】
コンテンツサーバ１５０は、コンテンツデータベースに対して、受け取ったカテゴリに該当するコンテンツ群を検索して、得られたコンテンツ群のコンテンツリストをコーディネータ１４０に返送する（Ｓ１５）。コーディネータ１４０は、このコンテンツリストユーザの了解または選択を得る（Ｓ１６）。この処理ステップにおける「了解」とはコンテンツリストの内容をそのまま利用する場合、「選択」とはコンテンツリストの中の一部のコンテンツを指定する場合に相当する。コンテンツリストに含まれるコンテンツ群は既に、ユーザの身に付けているアイテムに対応してコンテンツデータベースの中から選択されたものであることに留意されたい。ステップＳ１６での「選択」は、必須ではないが、ユーザがコンテンツの個数の絞り込みや所望でないコンテンツの排除などを行いたいような場合に有意義である。
【００５１】
この了解または選択に応じて、コーディネータ１４０は、当該コンテンツをコンテンツプレーヤ１６０に送信するようコンテンツサーバ１５０に要求するコンテンツ送信要求を送信する（Ｓ１７）。
【００５２】
この前提として、コンテンツサーバ１５０はコンテンツプレーヤ１６０の宛先情報を認識している必要がある。宛先情報は、利用する通信プロトコル等によって異なりうるが、例えばコンテンツプレーヤの端末ＩＤ、ＩＰアドレス、等である。このような宛先情報は予めコンテンツサーバ１５０に登録しておいてもよいし、その都度、要求時にコンテンツサーバ１５０に通知するようにしてもよい。コンテンツサーバ１５０に登録しておく場合には、予めユーザ登録を行い、ユーザが所持するコーディネータ１４０にユーザを識別するための情報を設定しておき、コンテンツ送信要求とともにこのユーザ識別情報をコンテンツサーバ１５０へ提供する。
【００５３】
コンテンツ送信要求を受けたコンテンツサーバ１５０は、当該宛先のコンテンツプレーヤ１６０に対して、指定されたコンテンツ（実体データを含む）を送信する（Ｓ１８）。
【００５４】
図９は、コーディネータ１４０の実行する処理の一例を示している。
【００５５】
コーディネータ１４０は、ＲＦＩＤリーダ１３０から、ユーザが身に付けているアイテムから検出されたタグ情報を受信する（Ｓ２１）。ついで、このタグ情報の集計を行い、単一のカテゴリを求める（Ｓ２２）。得られたカテゴリに基づき、図５に示したようなデータテーブルを用いて、対応するコンテンツ属性を求める（Ｓ２３）。得られたコンテンツ属性に該当するコンテンツリストをコンテンツサーバに要求する（Ｓ２４）。コンテンツリストが得られたら、これを表示部に表示してユーザに提示する（Ｓ２５）。ユーザの了解または選択が得られたら（Ｓ２６，Ｙｅｓ）、当該コンテンツを所定のコンテンツプレーヤに送信することを要求する（Ｓ２７）。
【００５６】
以上説明した本実施の形態によれば、ユーザは、単に、その日の気分や予定等に合わせて衣類や装飾品等を身に付けることにより、それらのアイテムに応じてその日の雰囲気に適したコンテンツ群を取得することができる。特に、コンテンツリストをそのまま利用する場合には、または、コンテンツリスト自体の受信・確認を行わない場合には、ユーザの手を煩わすことなく、自動的にコンテンツ群を取得することができる。
【００５７】
以上、本発明の好適な実施の形態について説明したが、上記で言及した以外にも種々の変形、変更を行うことが可能である。
【００５８】
コンテンツサーバ１５０は、コーディネータ１４０からの要求に応じてコンテンツプレーヤ１６０へコンテンツを送信（プッシュ）する例を示すが、コンテンツプレーヤ１６０がコーディネータ１４０からカテゴリ情報またはコンテンツ情報を受けて、コンテンツプレーヤ１６０がコンテンツサーバ１５０にコンテンツを要求するようにしてもよい。
【図面の簡単な説明】
【００５９】
【図１】本発明の実施の形態におけるコンテンツ選択支援システムの概略構成を示す図である。
【図２】図１に示したシステム内の異なる要素の組を内蔵した装置を含む異なるシステム構成例を示す図である。
【図３】図２（ａ）の装置に対応する携帯端末のハードウェア構成例を示す図である。
【図４】本発明の実施の形態においてＲＦＩＤタグに記憶される商品のタグ情報のフォーマットの一例を示す図である。
【図５】本発明の実施の形態においてアイテムから検出されたタグ情報をコンテンツ属性に対応づけるテーブル構成例を示す図である。
【図６】本発明の実施の形態においてコーディネータが複数のタグ情報を集計して単一のカテゴリを求める例を示す図である。
【図７】本発明の実施の形態においてコンテンツサーバが取り扱う、楽曲データのコンテンツデータベース（ＤＢ）の構成例を示す図である。
【図８】図１のシステムにおける各部の間の動作を表したシーケンス図である。
【図９】本発明の実施の形態においてコーディネータの実行する処理の一例を示すフローチャートである。
【符号の説明】
【００６０】
１０…携帯端末、１００…制御部、１０１…通信アンテナ、１０２…通信部、１０３…表示部、１０４…操作部、１０５…記憶部、１０６…制御ライン、１０７…データライン、１１０…スピーカ、１１１…マイクロホン（マイク）、１１２…音声処理部、１１３…画像処理部、１１４…プレーヤ部、１１５…近距離通信アンテナ、１１６…近距離通信制御部、１２０…服飾品、１２５…ＲＦＩＤタグ、１２５ａ，１２５ｂ…タグ、１３０…ＲＦＩＤリーダ、１４０…コーディネータ、１５０…コンテンツサーバ、１６０…コンテンツプレーヤ、２１０…コンテンツ再生装置、２２０…コンテンツ選択装置、２３０…コンテンツ提供装置、２４０，２５０，２６０…コンテンツ再生装置、５００，５１０…データテーブル、７００…コンテンツデータベース
【図１】
2008217301.tif 000003
【図２】
2008217301.tif 000004
【図３】
2008217301.tif 000005
【図４】
2008217301.tif 000006
【図５】
2008217301.tif 000007
【図６】
2008217301.tif 000008
【図７】
2008217301.tif 000009
【図８】
2008217301.tif 000010
【図９】
2008217301.tif 000011